(57)【要約】【課題】リテーナ６を使用せずに、ハウジング５内でのワイヤーシール２の位置を簡単に規制することで、防水性能を高め、かつ低コストの防水コネクタ１を提供する。【解決手段】防水性能付加用の弾性変形可能なワイヤーシール２に電線４を挿入し、電線４の先端に電気接続部品（圧着端子３）を接続し、ワイヤーシール２を弾性変形させながらハウジング５の保持孔７に組み込んだ防水コネクタ１において、ワイヤーシール２の外周面とハウジング５の保持孔７の内周面との間に位置規制手段１１（凹部１２、凸部１３および突起１４）を設けておき、ハウジング５の保持孔７の内部にワイヤーシール２を弾性変形させながら組み込んだときに、位置規制手段１１（凹部１２、凸部１３および突起１４）の嵌まり合いによって、ハウジング５の保持孔７の内部でワイヤーシール２の位置を規制する。【選択図】図６
2008210658.tif 000002
【特許請求の範囲】
【請求項１】
防水性能付加用の弾性変形可能なワイヤーシール（２）に電気接続部品（３）付きの電線（４）を挿入し、ワイヤーシール（２）を弾性変形させながらハウジング（５）の保持孔（７）に組み込んだ防水コネクタ（１）において、ワイヤーシール（２）の外周面とハウジング（５）の保持孔（７）の内周面との間に位置規制手段（１１）を設けておき、ハウジング（５）の保持孔（７）の内部にワイヤーシール（２）を弾性変形させながら組み込んだときに、位置規制手段（１１）の嵌まり合いによって、ハウジング（５）の保持孔（７）の内部でワイヤーシール（２）の位置を規制することを特徴とする防水コネクタ（１）。
【請求項２】
上記の位置規制手段（１１）をハウジング（５）の保持孔（７）の開口側内面の対向位置に向き合う状態として設けた一対の突起（１４）により構成し、ワイヤーシール（２）をハウジング（５）の保持孔（７）に組み込んだ状態で、突起（１４）をワイヤーシール（２）の背面に係止することを特徴とする請求項１記載の防水コネクタ（１）。
【請求項３】
上記の位置規制手段（１１）をハウジング（５）の保持孔（７）の内部に設けた凹部（１２）、ワイヤーシール（２）の外周部に設けた凸部（１３）、およびハウジング（５）の保持孔（７）の内面対向位置に向き合う状態として設けた一対の突起（１４）により構成し、ワイヤーシール（２）をハウジング（５）の保持孔（７）に組み込んだ状態で、凸部（１３）を凹部（１２）に嵌め合わせるとともに、突起（１４）をワイヤーシール（２）の背面に係止することを特徴とする請求項１記載の防水コネクタ（１）。
【発明の詳細な説明】
【技術分野】
【０００１】
本発明は、防水機能を有する電気接続用のコネクタに関する。
【背景技術】
【０００２】
図１ないし図５は、引用文献１などに見られる従来例の防水コネクタ１を示している。まず、図１および図２の防水コネクタ１は、ワイヤーシール２の２つの孔１５に圧着端子３付きの電線４を挿入してから、ワイヤーシール２の外周に位置保持用のリテーナ６を嵌め込み、これらのワイヤーシール２、圧着端子３、電線４およびリテーナ６をハウジング５の保持孔７に組み込んだ構造となっている。
【０００３】
組み込み状態でワイヤーシール２およびリテーナ６は、それらの弾性変形により保持孔７の内周面や電線４の外周面に弾力的に密着することにより、ハウジング５の保持孔７に防水機能を付与している。また、圧着端子３は、一例として雌型の端子であり、保持孔７の中線上で保持孔７に連通する端子収納孔８の内部に納まり、その位置で圧着端子３の係合溝９とハウジング５の係合片１０と係り合いによって、ハウジング５の端子収納孔８から抜け止め状態となり、圧着端子３の先端を端子収納孔８の先端開口面に位置させ、図示しない雄型の端子の受け入れに備える。この従来例の防水コネクタ１によると、リテーナ６が必要となることから、部品点数および組立工数の増加により、製造コストが高くなってしまう。
【０００４】
つぎに、図３ないし図５の従来の防水コネクタ１は、ワイヤーシール２の２つの孔１５に圧着端子３付きの電線４を挿入してから、これらのワイヤーシール２、圧着端子３および電線４をハウジング５の保持孔７に組み込んだ構造となっている。組み込み状態でワイヤーシール２は、その外周方向の複数の突条１６の弾性変形により保持孔７の内周面に圧接し、同時にワイヤーシール２の２つの孔１５の内周面の弾性変形により電線４の外周面に密着することにより、防水機能を付与している。また、圧着端子３は、この例で雌型の端子であり、保持孔７の中心線上で保持孔７に連通する端子収納孔８の内部に納まり、その位置で圧着端子３の係合溝９とハウジング５の係合片１０と係り合いによってハウジング５の収納孔８から抜け止め状態となり、圧着端子３の先端を端子収納孔８のの先端開口面に位置させ、図示しない雄型の端子の受け入れる。
【０００５】
図３ないし図５の従来の防水コネクタ１によると、リテーナ６が不要であるから、部品点数および組立工数が少なくなり、製造コストを抑えることはできる。しかし、ワイヤーシール２とハウジング５との嵌まり合い位置を規制する手段がなく、その位置の保持は、保持孔７の内周面によるワイヤーシール２の外周面の締め付けによる摩擦的な手段によって行われている。このため、防水性能に限界があり、またハウジング２に組み込まれる圧着端子３や電線４の取り扱いによっては、ワイヤーシール２がハウジング５の正規の位置から離脱してしまい、耐久性や安定性に問題があった。
【特許文献１】特開平２００５−２２２８１６号公報
【発明の開示】
【発明が解決しようとする課題】
【０００６】
したがって、本発明の解決課題は、リテーナを使用せずに、ハウジング内でのワイヤーシールの位置を簡単に規制することで、防水性能を高め、かつ低コストの防水コネクタを提供することである。
【課題を解決するための手段】
【０００７】
そこで、本発明は、上記の課題の解決のために、前記の図３ないし図５の防水コネクタ（１）と同様に、リテーナ（６）を使用せずに、ハウジング（５）の保持孔（７）にワイヤーシール（２）を直接に組み込む構造とした防水コネクタ（１）を前提として、ハウジング（５）とワイヤーシール（２）との間に位置規制手段（１１）を設けておき、ハウジング（５）の保持孔（７）にワイヤーシール（２）を組み込んだとき、位置規制手段（１１）の係り合いにより、ハウジング（５）の保持孔（７）の内部でワイヤーシール（２）の位置を規制するようにしている。
【０００８】
具体的に記載すると、請求項１は、防水性能付加用の弾性変形可能なワイヤーシール（２）に電気接続部品（３）付きの電線（４）を挿入し、ワイヤーシール（２）を弾性変形させながらハウジング（５）の保持孔（７）に組み込んだ防水コネクタ（１）において、ワイヤーシール（２）の外周面とハウジング（５）の保持孔（７）の内周面との間に位置規制手段（１１）を設けておき、ハウジング（５）の保持孔（７）の内部にワイヤーシール（２）を弾性変形させながら組み込んだときに、位置規制手段（１１）の嵌まり合いによって、ハウジング（５）の保持孔（７）の内部でワイヤーシール（２）の位置を規制するようにしている。
【０００９】
請求項２は、請求項１の防水コネクタ（１）において、上記の位置規制手段（１１）をハウジング（５）の保持孔（７）の開口側内面の対向位置に向き合う状態として設けた一対の突起（１４）により構成し、ワイヤーシール（２）をハウジング（５）の保持孔（７）に組み込んだ状態で、突起（１４）をワイヤーシール（２）の背面に係止するようにしている。
【００１０】
請求項３は、請求項１の防水コネクタ（１）において、上記の位置規制手段（１１）をハウジング（５）の保持孔（７）の内部に設けた凹部（１２）、ワイヤーシール（２）の外周部に設けた凸部（１３）、およびハウジング（５）の保持孔（７）の内面対向位置に向き合う状態として設けた一対の突起（１４）によって構成し、ワイヤーシール（２）をハウジング（５）の保持孔（７）に組み込んだ状態で、凸部（１３）を凹部（１２）に嵌め合わせるとともに、突起（１４）をワイヤーシール（２）の背面に係止するようにしている。
【発明の効果】
【００１１】
請求項１の発明によると、防水コネクタ（１）において、ハウジング（５）の保持孔（７）の内部にワイヤーシール（２）を弾性変形させながら組み込んだときに、位置規制手段（１１）の嵌まり合いや係止によって、ハウジング（５）の保持孔（７）の内部でワイヤーシール（２）の位置を規制できるから、電線（４）を含む電気接続部品（３）の取り扱いや、ハウジング（５）の内側からの圧力などによっても、ハウジング（５）の保持孔（７）からのワイヤーシール（２）の脱落が防止でき、かつ、部品点数・組立工数が抑えられているから、低コストの防水コネクタ（１）の提供が可能となる。
【００１２】
請求項２の発明によると、突起（１４）がワイヤーシール（２）の背面に係止し、ワイヤーシール（２）を挿入方向に付勢しているから、防水機能が長期にわたって安定し、抜け止めも確実となる。
【００１３】
請求項３の発明によると、請求項２の作用効果の他に、位置規制手段（１１）をハウジング（５）の保持孔（７）の内部に設けた凹部（１２）と、ワイヤーシール（２）の外周部に設けた凸部（１３）とで構成しているから、凹部（１２）と凸部（１３）との嵌まり合いが確実であり、ハウジング（５）やワイヤーシール（２）の変形によっても、ワイヤーシール（２）が組み込み位置から離脱せず、防水機能も安定する。
【発明を実施するための最良の形態】
【００１４】
図６ないし図８は、本発明に係る防水コネクタ１を示している。これらの図において、防水コネクタ１は、一例として雌型であり、防水性能付加用の弾性変形可能なワイヤーシール２の電線挿入用の２つの孔１５に、電気接続部品付きの２本の電線４を挿入し、ワイヤーシール２を弾性変形させながらハウジング５の保持孔７に組み込む構造となっている。なお、電気接続部品は、例えば圧着端子３であり、電線４の先端に圧着により接続されている。
【００１５】
組み込み状態でワイヤーシール２は、その外周方向の複数の突条１６の弾性変形により保持孔７の内周面に圧接し、かつワイヤーシール２の孔１５の内周面の縮径方向の弾性変形により電線４の外周面に密着することにより、それらの隙間に高い防水機能を付与している。
【００１６】
この例で電気接続部品としての圧着端子３は、雌型の端子であり、保持孔７の中心線上で保持孔７に連通する端子収納孔８の内部に納まり、その位置で圧着端子３の係合溝９とハウジング５の係合片１０と係り合いによって、ハウジング５の端子収納孔８から抜け止め状態となる。圧着端子３の先端の開口部分は、保持孔７の先端開口面に位置しており、図示しない雄型の端子を受け入れて、それらの間で電気的な接続状態となる。
【００１７】
本発明に係る防水コネクタ１は、特徴的な事項として、ハウジング５の保持孔７に組み込んだワイヤーシール２の組み込み位置を維持し、かつワイヤーシール２を抜け止め状態とするために、ワイヤーシール２とハウジング５との間に設けた位置規制手段１１を有している。この位置規制手段１１は、ハウジング５の保持孔７の内部の対向位置に向き合う状態として設けた一対の凹部１２、ワイヤーシール２の外周部に連続して設けた凸部１３の他に、ハウジング５の保持孔７の開口側内面の対向位置に、中心（内側）の方向に張り出す一対の突起１４により構成されている。
【００１８】
この例において、一対の凹部１２は、四角筒状のハウジング５の隣接する稜角部分から対向辺の中程まで対向状態として設けられ、保持孔７から外部に通じる長い孔として形成されている。また凸部１３は、ハウジング５の保持孔７にワイヤーシール２を組み込んだ状態で、凹部１２に対応する位置にあって、外周方向に連続し、凹部１２に嵌まる大きさのフランジ状のものとして形成されている。
【００１９】
ハウジング５に対する電線４および電気接続部品としての圧着端子３の組み込み過程で、ハウジング５の保持孔７の内部に、電線４および圧着端子３と一体のワイヤーシール２を弾性変形させながら挿入したときに、ワイヤーシール２の凸部１３は、挿入の最終位置でハウジング５の凹部１２に嵌まり合い、挿入方向に圧接する状態としてハウジング５を抜け止め状態とする。しかも、この挿入過程で、一対の突起１４は、ともに外側に変形しながら凸部１３の挿入を許容しているが、挿入完了時点で、各突起１４は、復帰方向の弾力によってワイヤーシール２の凸部１３の背面に当接して、ワイヤーシール２の後退を阻止し、その位置を規制している。
【００２０】
なお、この挿入時の抵抗を減少させるために、凸部１３の挿入方向前面、つまり保持孔７の開口縁に最初に当たる凸部１３の外周稜角部分は、面取りしてある。同様に、突起１４の外側面、つまりワイヤーシール２の挿入時に、ワイヤーシール２に最初に当たる突起１４の端縁部分も、面取りしてある。このため、保持孔７にワイヤーシール２を嵌め合わせるときの力は、小さくてよい。ワイヤーシール２がハウジング５の保持孔７の内部に嵌め合わされると、ワイヤーシール２は、位置規制手段１１の凹部１２、凸部１３および突起１４の係り合いによって抜け止め状態となる。
【００２１】
次に、図９は、本発明に係る防水コネクタ１を雌雄型対のものとして構成し、それらを嵌め合わせて、両者を電気的に接続する使用例を示している。雌型の防水コネクタ１と雄型の防水コネクタ１とは、嵌まり合う両者のハウジング５の間に、防水性能付加用の弾性変形可能なリング状のハウジングシール１７を介在させながら、水密状態で嵌まり合う。このとき、雄型の防水コネクタ１の雄型の圧着端子３は、雌型の防水コネクタ１の雌型の圧着端子３に挿入され、電気的に導通状態となる。
【００２２】
この雄型の防水コネクタ１でも、ワイヤーシール２は、雌型の防水コネクタ１と同様に位置規制手段１１としての凹部１２と凸部１３との嵌め合い、および一対の突起１４の係り止めによって、ハウジング５から抜け止め状態となる。雌型の防水コネクタ１と、雄型の防水コネクタ１との嵌め合わせ状態で、雌型の防水コネクタ１の係止片１８と雄型の防水コネクタ１の係止孔１９とは、係り合って抜け止め状態となっているが、必要に応じて手動または工具により係止片１８と係止孔１９との係り合いを解除すれば、両ハウジング５は、分離可能な状態となる。
【産業上の利用可能性】
【００２３】
本発明において、電気接続部品は、圧着端子３に限らず、その他の形式の接続具であってもよい。また、本発明は、ワイヤーシール２を用いて、電線４をハウジング５の内部に挿入する接続形態であれば、雄雌形式のものに限らず、広く応用できる。
【図面の簡単な説明】
【００２４】
【図１】従来の防水コネクタ１の部品の斜面図である。
【図２】図１の従来の防水コネクタ１の組み立て状態の断面図である。
【図３】従来の他の防水コネクタ１の部品の斜面図である。
【図４】図３の従来の防水コネクタ１の組み立て状態の垂直断面図である。
【図５】図３の従来の防水コネクタ１の組み立て状態の水平垂直断面図である。
【図６】本発明に係る防水コネクタ１の部品の斜面図である。
【図７】本発明に係る防水コネクタ１の組み立て状態の垂直断面図である。
【図８】本発明に係る防水コネクタ１の組み立て状態の水平垂直断面図である。
【図９】本発明に係る防水コネクタ１（雌型の防水コネクタ１・雄型の防水コネクタ１）の部品の斜面図である。
【符号の説明】
【００２５】
１  防水コネクタ
２  ワイヤーシール
３  電気接続部品としての圧着端子
４  電線
５  ハウジング
６  リテーナ
７  保持孔
８  端子収納孔
９  係合溝
１０  係合片
１１  位置規制手段
１２  凹部
１３  凸部
１４  突起
１５  電線挿入用の孔
１６  突条
１７  ハウジングシール
１８  係止片
１９  係止孔
【図１】
2008210658.tif 000003
【図２】
2008210658.tif 000004
【図３】
2008210658.tif 000005
【図４】
2008210658.tif 000006
【図５】
2008210658.tif 000007
【図６】
2008210658.tif 000008
【図７】
2008210658.tif 000009
【図８】
2008210658.tif 000010
【図９】
2008210658.tif 000011